(57)【要約】【課題】利用シーンに応じたホーム画面を簡便に表示することが可能な画像表示装置及び画像表示装置の制御方法を提供する。【解決手段】プロジェクター１は、ネットワークＮＷに接続され、ネットワークＮＷを介して通信を行う通信部１３と、通信部１３が接続しているネットワークＮＷを識別する識別部１７と、複数の選択項目を含んで構成されるホーム画面を複数記憶する記憶部１１と、識別部１７の識別結果に基づいて、複数のホーム画面の中から１つを選択する制御部１０と、制御部１０により選択されたホーム画面を表示する画像投写部１６と、を備える。【選択図】図１
2020064131.tif 000002
【特許請求の範囲】
【請求項１】
ネットワークに接続し、前記ネットワークを介して通信を行う通信部と、
前記通信部が接続している前記ネットワークを識別する識別部と、
第１の選択項目群を含む第１のホーム画面、及び第２の選択項目群を含む第２のホーム画面を記憶する記憶部と、
前記識別部の識別結果に基づいて、前記第１のホーム画面及び前記第２のホーム画面の中から１つを選択する選択部と、
前記選択部により選択されたホーム画面を表示する表示部と、
を備えたことを特徴とする画像表示装置。
【請求項２】
請求項１に記載の画像表示装置であって、
前記記憶部は、前記ネットワークを識別するための識別情報に、前記第１のホーム画面及び前記第２のホーム画面のうちの１つを対応付けた識別情報テーブルを記憶しており、
前記識別部は、前記識別情報に基づいて、前記ネットワークを識別し、
前記選択部は、前記識別情報テーブルを参照して、前記ネットワークの前記識別情報に対応するホーム画面を選択することを特徴とする画像表示装置。
【請求項３】
請求項２に記載の画像表示装置であって、
前記選択部は、前記通信部が接続した前記ネットワークの識別情報が、前記識別情報テーブルに含まれていない場合に、前記識別情報を前記識別情報テーブルに追加することを促す登録画面を前記表示部により表示させることを特徴とする画像表示装置。
【請求項４】
請求項１〜３のいずれか一項に記載の画像表示装置であって、
前記選択部は、前記通信部が前記ネットワークに接続できなかった場合には、前記第１のホーム画面及び前記第２のホーム画面のうち、所定のホーム画面を選択することを特徴とする画像表示装置。
【請求項５】
請求項１〜４のいずれか一項に記載の画像表示装置であって、
前記通信部は、前記ネットワークとして無線ＬＡＮに接続し、
前記識別部は、前記無線ＬＡＮのＳＳＩＤに基づいて前記ネットワークを識別することを特徴とする画像表示装置。
【請求項６】
請求項１〜５のいずれか一項に記載の画像表示装置であって、
前記第１の選択項目群は、接続端子リスト、プログラムリスト、ボタン画像を含むことを特徴とする画像表示装置。
【請求項７】
請求項１〜６のいずれか一項に記載の画像表示装置であって、
前記第２の選択項目群は、視聴履歴リスト、推薦コンテンツリスト、ボタン画像を含むことを特徴とする画像表示装置。
【請求項８】
画像表示装置の制御方法であって、
接続しているネットワークを識別し、
前記ネットワークを識別した結果に基づいて、第１の選択項目群を含む第１のホーム画面、及び第２の選択項目群を含む第２のホーム画面の中から１つを選択して表示することを特徴とする画像表示装置の制御方法。
【請求項９】
請求項８に記載の画像表示装置の制御方法であって、
前記ネットワークを識別するための識別情報に、前記第１のホーム画面及び前記第２のホーム画面のうちの１つを対応付けた識別情報テーブルを参照して、前記ネットワークの前記識別情報に対応するホーム画面を選択することを特徴とする画像表示装置の制御方法。
【請求項１０】
請求項９に記載の画像表示装置の制御方法であって、
接続した前記ネットワークの識別情報が前記識別情報テーブルに含まれていない場合に、前記識別情報を前記識別情報テーブルに追加することを促す登録画面を表示させることを特徴とする画像表示装置の制御方法。
【請求項１１】
請求項８〜１０のいずれか一項に記載の画像表示装置の制御方法であって、
前記ネットワークに接続できなかった場合には、前記第１のホーム画面及び前記第２のホーム画面のうち、所定のホーム画面を選択することを特徴とする画像表示装置の制御方法。
【請求項１２】
請求項８〜１１のいずれか一項に記載の画像表示装置の制御方法であって、
前記ネットワークは、無線ＬＡＮであり、前記無線ＬＡＮのＳＳＩＤに基づいて前記ネットワークを識別することを特徴とする画像表示装置の制御方法。
【発明の詳細な説明】
【技術分野】
【０００１】
本発明は、画像表示装置及びその制御方法に関する。
【背景技術】
【０００２】
画像表示装置において、起動した直後等のタイミングで、ユーザーに次の操作を選択させるためのホーム画面を表示する画像表示装置が知られている。可搬性の高い画像表示装置の場合には、ユーザーが行う操作は、利用シーン、即ち利用する場所等によって異なることがあるため、ホーム画面についても利用シーンに応じて切り替えられることが望ましい。特許文献１には、起動時にユーザー認証を行い、その認証結果に応じたホーム画面を表示する通信装置が記載されている。この通信装置によれば、利用シーンに応じて、異なるユーザーとして認証の手続きを行うことにより、ホーム画面の切り替えが可能となる。
【先行技術文献】
【特許文献】
【０００３】
【特許文献１】特開２０１６−１９２０９５号公報
【発明の概要】
【発明が解決しようとする課題】
【０００４】
しかしながら、特許文献１に記載の通信装置では、装置を使用する際に認証の手続きが必要になるうえ、利用シーンに応じて異なる手続きを行う必要があるため、ユーザーの利便性が損なわれてしまう。つまり、利用シーンに応じたホーム画面を簡便に表示することが可能な画像表示装置が望まれている。
【課題を解決するための手段】
【０００５】
本願の画像表示装置は、ネットワークに接続し、前記ネットワークを介して通信を行う通信部と、前記通信部が接続している前記ネットワークを識別する識別部と、第１の選択項目群を含む第１のホーム画面、及び第２の選択項目群を含む第２のホーム画面を記憶する記憶部と、前記識別部の識別結果に基づいて、前記第１のホーム画面及び前記第２のホーム画面の中から１つを選択する選択部と、前記選択部により選択されたホーム画面を表示する表示部と、を備えたことを特徴とする。
【０００６】
上記の画像表示装置において、前記記憶部は、前記ネットワークを識別するための識別情報に、前記第１のホーム画面及び前記第２のホーム画面のうちの１つを対応付けた識別情報テーブルを記憶しており、前記識別部は、前記識別情報に基づいて、前記ネットワークを識別し、前記選択部は、前記識別情報テーブルを参照して、前記ネットワークの前記識別情報に対応するホーム画面を選択してもよい。
【０００７】
上記の画像表示装置において、前記選択部は、前記通信部が接続した前記ネットワークの識別情報が、前記識別情報テーブルに含まれていない場合に、前記識別情報を前記識別情報テーブルに追加することを促す登録画面を前記表示部により表示させてもよい。
【０００８】
上記の画像表示装置において、前記選択部は、前記通信部が前記ネットワークに接続できなかった場合には、前記第１のホーム画面及び前記第２のホーム画面のうち、所定のホーム画面を選択してもよい。
【０００９】
上記の画像表示装置において、前記通信部は、前記ネットワークとして無線ＬＡＮに接続し、前記識別部は、前記無線ＬＡＮのＳＳＩＤに基づいて前記ネットワークを識別してもよい。
【００１０】
上記の画像表示装置において、前記第１の選択項目群は、接続端子リスト、プログラムリスト、ボタン画像を含んでもよい。
【００１１】
上記の画像表示装置において、前記第２の選択項目群は、視聴履歴リスト、推薦コンテンツリスト、ボタン画像を含んでもよい。
【００１２】
画像表示装置の制御方法は、接続しているネットワークを識別し、前記ネットワークを識別した結果に基づいて、第１の選択項目群を含む第１のホーム画面、及び第２の選択項目群を含む第２のホーム画面の中から１つを選択して表示することを特徴とする。
【００１３】
上記の画像表示装置の制御方法において、前記ネットワークを識別するための識別情報に、前記第１のホーム画面及び前記第２のホーム画面のうちの１つを対応付けた識別情報テーブルを参照して、前記ネットワークの前記識別情報に対応するホーム画面を選択してもよい。
【００１４】
上記の画像表示装置の制御方法において、接続した前記ネットワークの識別情報が前記識別情報テーブルに含まれていない場合に、前記識別情報を前記識別情報テーブルに追加することを促す登録画面を表示させてもよい。
【００１５】
上記の画像表示装置の制御方法において、前記ネットワークに接続できなかった場合には、前記第１のホーム画面及び前記第２のホーム画面のうち、所定のホーム画面を選択してもよい。
【００１６】
上記の画像表示装置の制御方法において、前記ネットワークは、無線ＬＡＮであり、前記無線ＬＡＮのＳＳＩＤに基づいて前記ネットワークを識別してもよい。
【図面の簡単な説明】
【００１７】
【図１】プロジェクターの概略構成を示すブロック図。
【図２】画像投写部の概略構成を示すブロック図。
【図３】第１のホーム画面を示す説明図。
【図４】第２のホーム画面を示す説明図。
【図５】プロジェクターの起動時の動作を示すフローチャート。
【図６】登録画面を示す説明図。
【発明を実施するための形態】
【００１８】
以下、本実施形態の画像表示装置としてのプロジェクター１について、図面を参照して説明する。
図１は、プロジェクター１の概略構成を示すブロック図であり、図２は、プロジェクター１に備わる画像投写部１６の概略構成を示すブロック図である。
図１に示すように、プロジェクター１は、制御部１０と、記憶部１１と、入力操作部１２と、通信部１３と、画像情報入力部１４と、画像情報処理部１５と、表示部としての画像投写部１６とを含んで構成されている。プロジェクター１は、外部から入力される入力画像を投写面Ｓｐに投写して表示する画像表示装置である。
【００１９】
制御部１０は、１つ又は複数のプロセッサーを備えて構成され、記憶部１１に記憶されている制御プログラムに従って動作することによりプロジェクター１の動作を統括制御する。
【００２０】
記憶部１１は、揮発性のメモリーであるＲＡＭ（Random Access Memory）と、不揮発性のメモリーであるＲＯＭ（Read Only Memory）とを備えて構成される。ＲＡＭは、各種データ等の一時記憶に用いられ、ＲＯＭは、プロジェクター１の動作を制御するための制御プログラムや制御データ等を記憶する。
【００２１】
入力操作部１２は、ユーザーがプロジェクター１に対して各種指示を行うための複数の操作キーを備えている。入力操作部１２が備える操作キーとしては、電源のオンとオフとを切り替えるための「電源キー」、後述するホーム画面を表示させるための「ホームキー」、ホーム画面内で項目の選択等に用いられる「方向キー」等がある。ユーザーが入力操作部１２の各種操作キーを操作すると、入力操作部１２は、ユーザーの操作内容に応じた操作信号を制御部１０に出力する。なお、遠隔操作が可能なリモコン（図示せず）を、入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００２２】
通信部１３は、制御部１０の制御に基づいてネットワークＮＷに接続し、制御部１０の制御に基づいて図示しない外部の装置との間でネットワークＮＷを介した通信を行う。つまり、制御部１０は、通信部１３を介して外部の装置と情報の送受信を行うことができる。本実施形態の通信部１３は、無線ネットワークである無線ＬＡＮ（Local Area Network）を介して通信を行う無線インターフェイスを含んでおり、図示しないアンテナやＲＦ（Radio Frequency）回路等を備えている。また、通信部１３は、ネットワークＮＷを介して配信されるコンテンツを受信するセットトップボックスの機能を有しており、このようなコンテンツを受信した場合には、コンテンツに含まれる画像情報を画像情報入力部１４に出力する。なお、ネットワークＮＷを介してプロジェクター１と通信を行う外部の装置としては、上記のコンテンツを配信するサーバーや、プロジェクター１の動作を外部から制御するコンピューター等の制御装置、プロジェクター１と協働して画像を投写する他のプロジェクター等がある。
【００２３】
プロジェクター１の制御部１０は、制御プログラムによって実現される機能ブロックとして、識別部１７を備えている。識別部１７は、通信部１３が接続しているネットワークＮＷを識別する。具体的には、識別部１７は、通信部１３から、無線ＬＡＮを識別するためのＳＳＩＤ（Service Set Identifier）を識別情報として取得し、この識別情報に基づいてネットワークＮＷを識別する。記憶部１１には、識別部１７がこれまでに取得した識別情報の一覧が識別情報テーブル１８として記憶されており、制御部１０は、ネットワークＮＷに初めて接続された際に、このネットワークＮＷの識別情報を識別情報テーブル１８に追加することによって、このネットワークＮＷをプロジェクター１に登録する。
【００２４】
画像情報入力部１４は、図示しない複数の接続端子を備えて構成され、接続端子に接続された外部の画像供給装置２から画像情報の供給を受ける。また、通信部１３がネットワークＮＷを介してコンテンツを受信した場合には、画像情報入力部１４には、このコンテンツの画像情報が通信部１３から供給される。画像情報入力部１４は、画像供給装置２又は通信部１３から供給される画像情報、即ち入力画像を表す画像情報を画像情報処理部１５に出力する。なお、画像情報入力部１４に画像供給装置２及び通信部１３から画像情報が供給されていない場合には、画像情報入力部１４は、所定の画像を表す画像情報を画像情報処理部１５に出力する。例えば、画像情報入力部１４は、青色無地の画像を表す画像情報を出力する。
【００２５】
画像情報処理部１５は、制御部１０の制御に基づいて、画像情報入力部１４から入力される画像情報に対して様々な処理を施し、処理後の画像情報を画像投写部１６のライトバルブ駆動部２４（図２参照）に出力する。例えば、画像情報処理部１５は、明るさやコントラスト等の画質を調整する処理や、ホーム画面や設定メニュー、各種メッセージ等のＯＳＤ（オンスクリーンディスプレイ）画像を入力画像の一部又は全体に重畳する処理等を必要に応じて実行する。
【００２６】
なお、画像情報入力部１４及び画像情報処理部１５は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００２７】
図２に示すように、画像投写部１６は、光源２１、光変調装置としての３つの液晶ライトバルブ２２Ｒ，２２Ｇ，２２Ｂ、投写光学系２３、ライトバルブ駆動部２４等を備えて構成されている。画像投写部１６は、光源２１から射出された光を、液晶ライトバルブ２２Ｒ，２２Ｇ，２２Ｂで変調して画像光を形成し、投写レンズ等によって構成される投写光学系２３からこの画像光を投写して投写面Ｓｐに画像を表示する。
【００２８】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ２２Ｒ，２２Ｇ，２２Ｂに入射する。
【００２９】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画像形成領域２２ｉが形成されており、液晶に対して画素毎に駆動電圧を印加可能になっている。
【００３０】
ライトバルブ駆動部２４は、液晶ライトバルブ２２Ｒ，２２Ｇ，２２Ｂの画像形成領域２２ｉに画像を形成する。具体的には、ライトバルブ駆動部２４は、画像情報処理部１５から入力される画像情報に応じた駆動電圧を、画像形成領域２２ｉの各画素に印加し、各画素を画像情報に応じた光透過率に設定する。光源２１から射出された光は、液晶ライトバルブ２２Ｒ，２２Ｇ，２２Ｂの画像形成領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。この結果、投写面Ｓｐ上には、画像情報処理部１５から入力される画像情報に応じた画像が表示される。
【００３１】
次に、プロジェクター１の動作及び制御方法について説明する。
本実施形態のプロジェクター１は、電源が投入されて動作を開始すると、まずホーム画面を投写し、その状態でユーザーの操作を待機する。ホーム画面は、ポータル画面とも呼ばれ、ユーザーの入力操作によって選択が可能な複数の選択項目を含んでいる。ユーザーは、入力操作部１２の方向キー等を操作して所望の選択項目を選択することにより、選択項目に対応する動作をプロジェクター１に行わせることができる。ホーム画面に対応する画像情報は、記憶部１１に記憶されている。制御部１０は、記憶部１１からこの画像情報を読み出して画像情報処理部１５に出力することにより、ホーム画面をＯＳＤ画像として重畳させる。この結果、画像投写部１６からホーム画面が投写されて投写面Ｓｐに表示される。このように、制御部１０は、画像情報処理部１５に指示をして画像投写部１６によりホーム画面を表示させることができる。本実施形態のプロジェクター１は、第１のホーム画面と第２のホーム画面の２種類のホーム画面を選択的に表示可能であり、記憶部１１には、それぞれのホーム画面に対応する２種類の画像情報が記憶されている。
【００３２】
図３は、第１のホーム画面Ｐ１を示す説明図であり、図４は、第２のホーム画面Ｐ２を示す説明図である。
図３に示すように、第１のホーム画面Ｐ１は、ビジネス用のホーム画面であり、会社等の公共の場所での使用に適したホーム画面である。第１のホーム画面Ｐ１には、「接続端子一覧」と表記された接続端子リストＬ１、「アプリケーション一覧」と表記されたプログラムリストＬ２、「ＱＲコード表示」と表記されたボタン画像Ｂ１、及び「Ｍｉｒａｃａｓｔ接続」と表記されたボタン画像Ｂ２等が含まれている。接続端子リストＬ１には、接続端子に対応する複数のボタン画像が選択項目として配列されており、プログラムリストＬ２には、アプリケーションプログラムに対応する複数のボタン画像が選択項目として配列されている。また、ボタン画像Ｂ１は、ＱＲコード（登録商標）を表示するための選択項目であり、ボタン画像Ｂ２は、Ｍｉｒａｃａｓｔ（登録商標）を利用した表示を行うための選択項目である。第１のホーム画面Ｐ１に含まれる、これら複数の選択項目は、第１の選択項目群を構成する。
【００３３】
ユーザーが接続端子リストＬ１から所望の接続端子に対応するボタン画像を選択すると、プロジェクター１は、この接続端子を介して供給される画像情報に基づく入力画像を表示する。また、ユーザーがプログラムリストＬ２から所望のアプリケーションプログラムに対応するボタン画像を選択すると、プロジェクター１は、選択されたボタン画像に対応するアプリケーションプログラムを実行する。また、ユーザーがボタン画像Ｂ１を選択すると、プロジェクター１は、ＩＰアドレス等の接続情報等が符号化されたＱＲコードを投写する。ユーザーは、投写されたＱＲコードを携帯端末等で撮像して接続情報を復号化することにより、この携帯端末等をプロジェクター１に接続させることが可能となる。また、ユーザーがボタン画像Ｂ２を選択すると、プロジェクター１は、Ｍｉｒａｃａｓｔによる画像情報の送信方法を案内する案内画面を表示するとともに、画像情報の送信を待機する状態となる。この状態で、ユーザーは、携帯端末等に所定の操作を行うことにより、Ｍｉｒａｃａｓｔによる画像情報の送信を開始することができる。
【００３４】
一方、図４に示すように、第２のホーム画面Ｐ２は、家庭用のホーム画面であり、個人の自宅等、私的な場所での使用に適したホーム画面である。第２のホーム画面Ｐ２には、「視聴履歴」と表記された視聴履歴リストＬ３、「推薦コンテンツ」と表記された推薦コンテンツリストＬ４、「ニュースと天気」と表記された情報表示部Ｎ１、「照明機器制御」と表記されたボタン画像Ｂ３、及び「音響機器制御」と表記されたボタン画像Ｂ４等が含まれている。視聴履歴リストＬ３には、過去に視聴した複数のコンテンツのサムネイル画像が選択項目として配列されており、推薦コンテンツリストＬ４には、コンテンツの配信元から推薦された複数のコンテンツのサムネイル画像が選択項目として配列されている。また、ボタン画像Ｂ３は、家庭の照明機器をネットワークＮＷ経由で制御するための選択項目であり、ボタン画像Ｂ４は、家庭の音響機器をネットワークＮＷ経由で制御するための選択項目である。第２のホーム画面Ｐ２に含まれる、これら複数の選択項目は、第２の選択項目群を構成する。また、情報表示部Ｎ１には、ネットワークＮＷを介して配信されるニュースや天気予報が表示される。
【００３５】
ユーザーは、視聴履歴リストＬ３や推薦コンテンツリストＬ４の中から所望のコンテンツのサムネイル画像を選択することにより、過去に視聴したコンテンツを再度表示させたり、配信元が推薦するコンテンツを表示させたりすることができる。また、ユーザーは、ボタン画像Ｂ３，Ｂ４を選択することにより、家庭に備わっている照明機器や音響機器を、ネットワークＮＷを介して制御するための図示しない制御画面を表示させることができる。
【００３６】
記憶部１１の識別情報テーブル１８に記憶されている識別情報のそれぞれには、ホーム画面が対応付けられている。つまり、登録済みのネットワークＮＷの識別情報には、第１のホーム画面Ｐ１と第２のホーム画面Ｐ２のいずれか一方が対応付けられている。そして、プロジェクター１は、起動時等にホーム画面を表示する際には、接続しているネットワークＮＷの識別情報に対応するホーム画面を表示する。
【００３７】
図５は、プロジェクター１の起動時の動作を示すフローチャートである。
プロジェクター１の電源がオフの状態において、ユーザーにより入力操作部１２の電源キーが操作されると、プロジェクター１が起動し、電源がオンの状態となる。その後、プロジェクター１の制御部１０は、図５に示すフローに従ってプロジェクター１を制御する。
図５に示すように、ステップＳ１０１において、制御部１０は、通信部１３に指示をして、接続可能なネットワークＮＷを検索させ、ステップＳ１０２では、通信部１３がネットワークＮＷを検索できたか否かを判断する。そして、制御部１０は、通信部１３がいずれかのネットワークＮＷを検索できた場合には、ステップＳ１０３に処理を移し、所定の時間内にネットワークＮＷを検索できなかった場合には、ステップＳ１１１に処理を移す。
【００３８】
ネットワークＮＷが検索されずにステップＳ１１１に処理が移行した場合には、制御部１０は、画像情報処理部１５に指示をして、所定のホーム画面、即ちデフォルトのホーム画面をＯＳＤ画像として表示する処理を行わせて、フローを終了する。本実施形態では、第１のホーム画面Ｐ１がデフォルトのホーム画面に設定されており、画像投写部１６から第１のホーム画面Ｐ１が投写面Ｓｐに投写される。なお、ホーム画面を表示した後も、制御部１０は、通信部１３にネットワークＮＷの検索を継続させる。
【００３９】
一方、ステップＳ１０２にてネットワークＮＷが検索されてステップＳ１０３に処理が移行した場合には、制御部１０は、通信部１３に指示をして、検索されたネットワークＮＷに接続する処理を行わせ、ステップＳ１０４では、接続が成功したか否かを判断する。そして、制御部１０は、接続が成功した場合には、ステップＳ１０５に処理を移す。一方、接続に失敗した場合には、制御部１０は、ステップＳ１１１に処理を移し、画像情報処理部１５に指示をして、デフォルトのホーム画面である第１のホーム画面Ｐ１を表示させ、フローを終了する。
【００４０】
ネットワークＮＷへの接続が成功してステップＳ１０５に処理が移行した場合には、識別部１７が、識別情報を通信部１３から取得して、接続したネットワークＮＷを識別する。次いで、ステップＳ１０６では、制御部１０は、記憶部１１の識別情報テーブル１８を参照して、接続されたネットワークＮＷの識別情報が識別情報テーブル１８に含まれているか否か、即ち接続されたネットワークＮＷが登録済みであるか否かを判別する。そして、制御部１０は、ネットワークＮＷが未登録である場合にはステップＳ１０７に処理を移し、ネットワークＮＷが登録済みである場合にはステップＳ１０９に処理を移す。
【００４１】
ネットワークＮＷが未登録であってステップＳ１０７に処理が移行した場合には、制御部１０は、画像情報処理部１５に指示をして、ネットワークＮＷの登録、即ち識別情報テーブル１８への識別情報の追加を促す登録画面をＯＳＤ画像として表示させる。
【００４２】
図６は、登録画面Ｐ３を示す説明図である。
図６に示すように、登録画面Ｐ３には、新しいネットワークＮＷに接続されたことを示すメッセージＭ１とともに、このネットワークＮＷの識別情報に対応付けるホーム画面を選択させるためのホーム画面選択部Ｓ１が表示されている。ホーム画面選択部Ｓ１には、第１のホーム画面Ｐ１に相当する「ホーム画面１」と、第２のホーム画面Ｐ２に相当する「ホーム画面２」とが含まれており、ユーザーは、この中から一方のホーム画面を選択することができる。
【００４３】
図５に戻って、ステップＳ１０８では、制御部１０は、新しいネットワークＮＷの識別情報を、ユーザーにより選択されたホーム画面に対応付けて識別情報テーブル１８に追加することにより、ネットワークＮＷを登録する。
【００４４】
ステップＳ１０９では、制御部１０は、識別部１７による識別結果に基づいてホーム画面を選択する。具体的には、制御部１０は、識別情報テーブル１８に基づいて、登録されている識別情報に対応付けられているホーム画面を選択する。そして、ステップＳ１１０では、制御部１０は、画像情報処理部１５に指示をして、選択されたホーム画面をＯＳＤ画像として重畳するように指示をしてフローを終了する。この結果、第１のホーム画面Ｐ１及び第２のホーム画面Ｐ２のうち、選択されたホーム画面が画像投写部１６から投写面Ｓｐに投写される。つまり、識別情報が第１のホーム画面Ｐ１に対応付けられたネットワークＮＷに接続された場合には、プロジェクター１は、第１のホーム画面Ｐ１を投写し、識別情報が第２のホーム画面Ｐ２に対応付けられたネットワークＮＷに接続された場合には、プロジェクター１は、第２のホーム画面Ｐ２を投写する。
【００４５】
以上説明したように、本実施形態のプロジェクター１及びその制御方法によれば、以下の効果を得ることができる。
【００４６】
（１）本実施形態によれば、ホーム画面を表示する際に、制御部１０は、第１のホーム画面Ｐ１及び第２のホーム画面Ｐ２のうち、通信部１３が接続しているネットワークＮＷに応じたホーム画面を選択するため、利用シーンに応じたホーム画面を簡便に表示することが可能となる。
【００４７】
（２）本実施形態によれば、記憶部１１に識別情報テーブル１８が記憶されており、この識別情報テーブル１８では、ネットワークＮＷを識別する識別情報に一方のホーム画面が対応付けられている。このため、制御部１０は、この識別情報テーブル１８を参照することによって、容易にホーム画面を選択することが可能となる。
【００４８】
（３）本実施形態によれば、制御部１０は、接続したネットワークＮＷの識別情報が識別情報テーブル１８に含まれていない場合に、登録画面Ｐ３を表示させて識別情報テーブル１８への追加を促す。このため、プロジェクター１は、次回以降、同じネットワークＮＷに接続した場合に、適切なホーム画面を表示することが可能となる。
【００４９】
（４）本実施形態によれば、通信部１３がネットワークＮＷに接続できなかった場合、即ち接続可能なネットワークＮＷを検索できなかった場合やネットワークＮＷの接続に失敗した場合に、デフォルトに設定されているホーム画面が表示される。このため、利用シーンを問わないホーム画面をデフォルトのホーム画面に設定しておけば、利用シーンにそぐわないホーム画面が表示されてしまうことを抑制することができる。
【００５０】
（５）本実施形態によれば、通信部１３は、無線ＬＡＮに接続し、識別部１７は、無線ＬＡＮのＳＳＩＤに基づいてネットワークＮＷを識別する構成であるため、無線ＬＡＮに接続可能な環境下において、利用シーンに応じたホーム画面を簡便に表示することが可能となる。
【００５１】
なお、上記実施形態において、制御部１０は、複数のホーム画面の中から１つを選択する選択部に相当する。
【００５２】
（変形例）
また、上記実施形態は、以下のように変更してもよい。
【００５３】
上記実施形態では、プロジェクター１の起動時にホーム画面を選択して表示する態様を示したが、ホーム画面を選択して表示するタイミングは、起動時に限定されない。例えば、プロジェクター１は、入力操作部１２のホームキーが操作された場合に、識別情報テーブル１８を参照して、接続中のネットワークＮＷに対応するホーム画面を選択して表示するようにしてもよい。
【００５４】
上記実施形態において、通信部１３が、有線ＬＡＮ等の有線ネットワークにも接続が可能な構成の場合には、有線ネットワークにもいずれかのホーム画面を対応付けるようにしてもよい。つまり、通信部１３に有線ネットワークが接続されている場合に、識別部１７は、接続中のネットワークＮＷが有線ネットワークであることを識別し、制御部１０は、有線ネットワークに対応付けられているホーム画面を選択する。また、ＩＰアドレスが固定されている環境下で使用する場合には、ＩＰアドレス毎にホーム画面を対応付けてもよい。
【００５５】
上記実施形態では、プロジェクター１は、新しいネットワークＮＷに接続された場合に、登録画面Ｐ３を表示して、対応付けるホーム画面をユーザーに選択させるようにしているが、この態様に限定されない。例えば、プロジェクター１は、新しいネットワークＮＷに接続された場合に、ネットワークＮＷを登録するか否かをユーザーに問い合わせ、ネットワークＮＷの登録をユーザーが望んだ場合にホーム画面を選択させるようにしてもよい。
【００５６】
上記実施形態において、識別情報テーブル１８をユーザーが編集可能なユーザーインターフェイスを提供するようにしてもよい。この構成によれば、識別情報に対応付けられているホーム画面を、登録画面Ｐ３で選択されたホーム画面以外のホーム画面に後から変更することが可能となる。
【００５７】
上記実施形態において、第１のホーム画面Ｐ１及び第２のホーム画面Ｐ２に含まれる選択項目やそれらのレイアウトは、ユーザーが自由に編集できることが好ましい。
【００５８】
上記実施形態では、第１のホーム画面Ｐ１と第２のホーム画面Ｐ２の２つのホーム画面を選択可能な構成を示したが、ホーム画面の数は２つに限定されず、３つ以上のホーム画面を選択可能な構成であってもよい。
【００５９】
上記実施形態において、識別情報テーブル１８には、デフォルトのホーム画面以外のホーム画面に対応付ける識別情報のみを含めるようにしてもよい。この場合には、接続されたネットワークＮＷの識別情報が識別情報テーブル１８に含まれる場合には、プロジェクター１は、デフォルトではない第２のホーム画面Ｐ２を表示し、識別情報が識別情報テーブル１８に含まれない場合には、デフォルトの第１のホーム画面Ｐ１を表示する。
【００６０】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００６１】
上記実施形態では、画像表示装置の一例として、プロジェクター１について説明しているが、画像表示装置はプロジェクター１に限定されず、液晶ディスプレイや有機ＥＬ（ディスプレイ等、他の画像表示装置であってもよい。これらの場合には、画像が表示される表示画面が表示部に相当する。
【００６２】
以下に、実施形態から導き出される内容を記載する。
【００６３】
画像表示装置は、ネットワークに接続し、前記ネットワークを介して通信を行う通信部と、前記通信部が接続している前記ネットワークを識別する識別部と、第１の選択項目群を含む第１のホーム画面、及び第２の選択項目群を含む第２のホーム画面を記憶する記憶部と、前記識別部の識別結果に基づいて、前記第１のホーム画面及び前記第２のホーム画面の中から１つを選択する選択部と、前記選択部により選択されたホーム画面を表示する表示部と、を備えたことを特徴とする。
【００６４】
この構成によれば、識別部は、通信部が接続しているネットワークを識別し、選択部は、識別したネットワークに応じたホーム画面を選択するため、利用シーンに応じたホーム画面を簡便に表示することが可能となる。
【００６５】
上記の画像表示装置において、前記記憶部は、前記ネットワークを識別するための識別情報に、前記第１のホーム画面及び前記第２のホーム画面のうちの１つを対応付けた識別情報テーブルを記憶しており、前記識別部は、前記識別情報に基づいて、前記ネットワークを識別し、前記選択部は、前記識別情報テーブルを参照して、前記ネットワークの前記識別情報に対応するホーム画面を選択してもよい。
【００６６】
この構成によれば、記憶部に識別情報テーブルが記憶されており、識別情報テーブルでは、ネットワークを識別する識別情報にホーム画面が対応付けられている。このため、選択部は、この識別情報テーブルを参照することによって、容易にホーム画面を選択することが可能となる。
【００６７】
上記の画像表示装置において、前記選択部は、前記通信部が接続した前記ネットワークの識別情報が、前記識別情報テーブルに含まれていない場合に、前記識別情報を前記識別情報テーブルに追加することを促す登録画面を前記表示部により表示させてもよい。
【００６８】
この構成によれば、選択部は、接続したネットワークの識別情報が識別情報テーブルに含まれていない場合に、識別情報テーブルへの追加を促す登録画面を表示させるため、次回以降、同じネットワークに接続した場合に、適切なホーム画面を表示することが可能となる。
【００６９】
上記の画像表示装置において、前記選択部は、前記通信部が前記ネットワークに接続できなかった場合には、前記第１のホーム画面及び前記第２のホーム画面のうち、所定のホーム画面を選択してもよい。
【００７０】
この構成によれば、通信部がネットワークに接続できなかった場合に、所定のホーム画面が表示されるため、望まないホーム画面が表示されてしまうことを抑制することができる。
【００７１】
上記の画像表示装置において、前記通信部は、前記ネットワークとして無線ＬＡＮに接続し、前記識別部は、前記無線ＬＡＮのＳＳＩＤに基づいて前記ネットワークを識別してもよい。
【００７２】
この構成によれば、無線ＬＡＮに接続可能な環境下において、利用シーンに応じたホーム画面を簡便に表示することが可能となる。
【００７３】
上記の画像表示装置において、前記第１の選択項目群は、接続端子リスト、プログラムリスト、ボタン画像を含んでもよい。
【００７４】
上記の画像表示装置において、前記第２の選択項目群は、視聴履歴リスト、推薦コンテンツリスト、ボタン画像を含んでもよい。
【００７５】
画像表示装置の制御方法は、接続しているネットワークを識別し、前記ネットワークを識別した結果に基づいて、第１の選択項目群を含む第１のホーム画面、及び第２の選択項目群を含む第２のホーム画面の中から１つを選択して表示することを特徴とする。
【００７６】
この構成によれば、画像表示装置は、接続しているネットワークを識別し、識別したネットワークに応じたホーム画面を表示するため、利用シーンに応じたホーム画面を簡便に表示することが可能となる。
【００７７】
上記の画像表示装置の制御方法において、前記ネットワークを識別するための識別情報に、前記第１のホーム画面及び前記第２のホーム画面のうちの１つを対応付けた識別情報テーブルを参照して、前記ネットワークの前記識別情報に対応するホーム画面を選択してもよい。
【００７８】
この構成によれば、識別情報テーブルでは、ネットワークを識別する識別情報にホーム画面が対応付けられている。このため、画像表示装置は、この識別情報テーブルを参照することによって、容易にホーム画面を選択することが可能となる。
【００７９】
上記の画像表示装置の制御方法において、接続した前記ネットワークの識別情報が前記識別情報テーブルに含まれていない場合に、前記識別情報を前記識別情報テーブルに追加することを促す登録画面を表示させてもよい。
【００８０】
この構成によれば、画像表示装置は、接続したネットワークの識別情報が識別情報テーブルに含まれていない場合に、識別情報テーブルへの追加を促す登録画面を表示させるため、次回以降、同じネットワークに接続した場合に、適切なホーム画面を表示することが可能となる。
【００８１】
上記の画像表示装置の制御方法において、前記ネットワークに接続できなかった場合には、前記第１のホーム画面及び前記第２のホーム画面のうち、所定のホーム画面を選択してもよい。
【００８２】
この構成によれば、ネットワークに接続できなかった場合に、所定のホーム画面が表示されるため、望まないホーム画面が表示されてしまうことを抑制することができる。
【００８３】
上記の画像表示装置の制御方法において、前記ネットワークは、無線ＬＡＮであり、前記無線ＬＡＮのＳＳＩＤに基づいて前記ネットワークを識別してもよい。
【００８４】
この構成によれば、無線ＬＡＮに接続可能な環境下において、利用シーンに応じたホーム画面を簡便に表示することが可能となる。
【符号の説明】
【００８５】
１…プロジェクター、２…画像供給装置、１０…制御部、１１…記憶部、１２…入力操作部、１３…通信部、１４…画像情報入力部、１５…画像情報処理部、１６…画像投写部、１７…識別部、１８…識別情報テーブル、２１…光源、２２Ｒ，２２Ｇ，２２Ｂ…液晶ライトバルブ、２２ｉ…画像形成領域、２３…投写光学系、２４…ライトバルブ駆動部、Ｐ１…第１のホーム画面、Ｐ２…第２のホーム画面、Ｐ３…登録画面、Ｌ１…接続端子リスト、Ｌ２…プログラムリスト、Ｌ３…視聴履歴リスト、Ｌ４…推薦コンテンツリスト、Ｂ１，Ｂ２，Ｂ３，Ｂ４…ボタン画像、Ｎ１…情報表示部、Ｍ１…メッセージ、Ｓ１…ホーム画面選択部、Ｓｐ…投写面、ＮＷ…ネットワーク。
【図１】
2020064131.tif 000003
【図２】
2020064131.tif 000004
【図３】
2020064131.tif 000005
【図４】
2020064131.tif 000006
【図５】
2020064131.tif 000007
【図６】
2020064131.tif 000008